(57)【要約】【課題】  株価チャートや気配情報などの画面から速やかに注文条件を入力する画面へと移行し、かつ指値等の株価など注文の執行条件を入力する手間をできるだけ軽減できる株式売買注文の発注方法を提供する。【解決手段】  証券会社システムは、時価情報管理サーバから顧客端末に株価データを送信する。株価データは顧客端末の表示装置に株価チャート等の形式で表示され、顧客端末のＲＡＭ上に株価チャート上の表示位置と関連付けて株価データは随時更新される。顧客が画面上で株価チャート等の一部を選択して発注指示を出すと、選択された位置に対応する株価をＲＡＭ上の最新データから取得し、顧客が直接入力したその他の注文条件と合わせて、証券会社システムに送信される。【選択図】        図１
2005063409.tif 000002
【特許請求の範囲】
【請求項１】
株式売買注文を発注する発注者が操作するクライアント端末の表示画面を選択することにより執行条件を特定して株式売買注文の発注サーバに株式売買注文を発注する発注方法であって、
株価の時価情報を管理する時価情報管理サーバが、前記クライアント端末に銘柄コードと取引市場を特定した株価の時価データを送信するステップと、
前記クライアント端末が、前記時価データを受信して、前記クライアント端末の表示画面の所定の表示位置に株価チャートを表示するステップと、
前記クライアント端末が、前記時価データを前記株価チャート上の表示位置の位置情報と関連付けて表示データ格納部に格納するステップと、
前記クライアント端末が、前記発注者の操作により前記株価チャートの表示画面と関連付けられた注文ボタンの選択を受付けると、前記注文ボタンにより選択された売買の別を識別し、前記株価チャートに対応する株価の銘柄コード及び取引市場を特定して、前記銘柄コード及び前記取引市場が指定された注文画面を表示するステップと、
前記クライアント端末が、前記発注者が選択した前記株価チャートの表示画面の所定の表示位置の位置情報を受け付けるステップと、
前記クライアント端末が、前記表示データ格納部から前記位置情報に対応する時価データを取得するステップと、
前記クライアント端末が、前記銘柄コード、前記取引市場及び前記時価データが執行条件の一部に少なくとも含まれる株式売買注文の注文データを前記発注サーバに送信するステップと、
前記発注サーバが、前記注文データを受信して、前記注文データに従った前記株式売買注文の発注データを株式の取引市場の注文執行システムに送信するステップと、
を有することを特徴とする株式売買注文の発注方法。
【請求項２】
前記時価情報管理サーバが、前記クライアント端末に、前記銘柄コードと取引市場を特定した株価についての第二の時価データを送信するステップと、
前記クライアント端末が、前記第二の時価データを受信して、前記表示データ格納部に格納された第一の時価データと対比するステップと、
前記クライアント端末が、前記第一の時価データと前記第二の時価データが相違する場合には、前記表示データ格納部に格納された第一の時価データを前記第二の時価データに更新するステップと、
を有することを特徴とする請求項１記載の株式売買注文の発注方法。
【請求項３】
株式売買注文を発注する発注者が操作するクライアント端末の表示画面を選択することにより、執行条件を特定して株式売買注文の発注サーバに株式売買注文を発注する発注方法であって、
株価の時価情報を管理する時価情報管理サーバが、前記クライアント端末に銘柄コードと取引市場を特定した株価の気配データを送信するステップと、
前記クライアント端末が、前記気配データを受信して、前記クライアント端末の表示画面の所定の表示位置に気配情報を表示するステップと、
前記クライアント端末が、前記気配データを前記気配情報上の表示位置の位置情報と関連付けて表示データ格納部に格納するステップと、
前記クライアント端末が、前記発注者の操作により前記気配情報の表示画面と関連付けられた注文ボタンの選択を受付けると、前記注文ボタンにより選択された売買の別を識別し、前記気配情報に対応する株価の銘柄コード及び取引市場を特定して、前記銘柄コード及び前記取引市場が指定された注文画面を表示するステップと、
前記クライアント端末が、前記発注者が選択した前記気配情報の表示画面の所定の表示位置の位置情報を受け付けるステップと、
前記クライアント端末が、前記表示データ格納部から前記位置情報に対応する気配データに含まれる時価データを取得するステップと、
前記クライアント端末が、前記銘柄コード、前記取引市場及び前記時価データが執行条件の一部に少なくとも含まれる株式売買注文の注文データを前記発注サーバに送信するステップと、
前記発注サーバが、前記注文データを受信して、前記注文データに従った前記株式売買注文の発注データを株式の取引市場の注文執行システムに送信するステップと、
を有することを特徴とする株式売買注文の発注方法。
【請求項４】
株式売買注文を発注する発注者が操作するクライアント端末の表示画面を選択することにより、執行条件を特定して株式売買注文の発注サーバに株式売買注文を発注する発注方法であって、
株価の時価情報を管理する時価情報管理サーバが、前記クライアント端末に銘柄コードと取引市場を特定した株価の気配データを送信するステップと、
前記クライアント端末が、前記気配データを受信して、前記クライアント端末の表示画面の所定の表示位置に気配情報を表示するステップと、
前記クライアント端末が、前記気配データを前記気配情報上の表示位置の位置情報と関連付けて表示データ格納部に格納するステップと、
前記クライアント端末が、前記発注者が選択した前記気配情報の表示画面の所定の表示位置の位置情報を受け付けるステップと、
前記クライアント端末が、前記表示データ格納部の前記位置情報に対応する気配データから、前記気配データの買い気配又は売り気配の別と、前記気配データに含まれる時価データを取得するステップと、
前記クライアント端末が、前記気配情報に対応する株価の銘柄コード及び取引市場を特定し、前記銘柄コード、前記取引市場が指定され、かつ前記時価データを指値の指定価格に指定した、前記気配データが買い気配である場合には買い注文画面を、前記気配データが売り気配である場合には売り注文画面を表示するステップと、
前記クライアント端末が、前記銘柄コード、前記取引市場及び前記時価データが執行条件の一部に少なくとも含まれる株式売買注文の注文データを前記発注サーバに送信するステップと、
前記発注サーバが、前記注文データを受信して、前記注文データに従った前記株式売買注文の発注データを株式の取引市場の注文執行システムに送信するステップと、
を有することを特徴とする株式売買注文の発注方法。
【請求項５】
前記時価情報管理サーバが、前記クライアント端末に、前記銘柄コードと取引市場を特定した株価についての第二の気配データを送信するステップと、
前記クライアント端末が、前記第二の気配データを受信して、前記表示データ格納部に格納された第一の気配データと対比するステップと、
前記クライアント端末が、前記第一の気配データと前記第二の気配データが相違する場合には、前記表示データ格納部に格納された第一の気配データを前記第二の気配データに更新するステップと、
を有することを特徴とする請求項３又は４記載の株式売買注文の発注方法。
【請求項６】
株式売買注文を発注する発注者が操作するクライアント端末と、株価の時価情報を管理する時価情報管理サーバ及び株式売買注文の発注サーバとからなる株式売買注文を発注する発注システムであって、
前記時価情報管理サーバは、
前記クライアント端末に銘柄コードと取引市場を特定した株価の時価データを送信する時価データ送信手段を備え、
前記クライアント端末は、
前記時価データを受信して、前記クライアント端末の表示画面の所定の表示位置に株価チャートを表示する株価チャート表示手段と、
前記時価データを前記株価チャート上の表示位置の位置情報と関連付けて格納する表示データ格納手段と、
前記発注者の操作により前記株価チャートの表示画面と関連付けられた注文ボタンの選択を受付けると、前記注文ボタンにより選択された売買の別を識別し、前記株価チャートに対応する株価の銘柄コード及び取引市場を特定して、前記銘柄コード及び前記取引市場が指定された注文画面を表示する注文画面表示手段と、
前記発注者が選択した前記株価チャートの表示画面の所定の表示位置の位置情報を受け付ける位置情報受付手段と、
前記表示データ格納手段から前記位置情報に対応する時価データを取得する時価データ取得手段と、
前記銘柄コード、前記取引市場及び前記時価データが執行条件の一部に少なくとも含まれる株式売買注文の注文データを前記発注サーバに送信する注文データ送信手段と、を備え、
前記発注サーバは、
前記注文データを受信して、前記注文データに従った前記株式売買注文の発注データを株式の取引市場の注文執行システムに送信する発注データ送信手段を備えること
を特徴とする株式売買注文発注システム。
【請求項７】
株式売買注文を発注する発注者が操作するクライアント端末と、株価の時価情報を管理する時価情報管理サーバ及び株式売買注文の発注サーバとからなる株式売買注文を発注する発注システムであって、
前記時価情報管理サーバは、
前記クライアント端末に銘柄コードと取引市場を特定した株価の気配データを送信する気配データ送信手段を備え、
前記クライアント端末は、
前記気配データを受信して、前記クライアント端末の表示画面の所定の表示位置に気配情報を表示する気配情報表示手段と、
前記気配データを前記気配情報上の表示位置の位置情報と関連付けて格納する表示データ格納手段と、
前記発注者の操作により前記気配情報の表示画面と関連付けられた注文ボタンの選択を受付けると、前記注文ボタンにより選択された売買の別を識別し、前記気配情報に対応する株価の銘柄コード及び取引市場を特定して、前記銘柄コード及び前記取引市場が指定された注文画面を表示する注文画面表示手段と、
前記発注者が選択した前記気配情報の表示画面の所定の表示位置の位置情報を受け付ける位置情報受付手段と、
前記表示データ格納手段から前記位置情報に対応する気配データに含まれる時価データを取得する時価データ取得手段と、
前記銘柄コード、前記取引市場及び前記時価データが執行条件の一部に少なくとも含まれる株式売買注文の注文データを前記発注サーバに送信する注文データ送信手段と、を備え、
前記発注サーバは、
前記注文データを受信して、前記注文データに従った前記株式売買注文の発注データを株式の取引市場の注文執行システムに送信する発注データ送信手段を備えること
を特徴とする株式売買注文発注システム。
【請求項８】
株式売買注文を発注する発注者が操作するクライアント端末と、株価の時価情報を管理する時価情報管理サーバ及び株式売買注文の発注サーバとからなる株式売買注文を発注する発注システムであって、
前記時価情報管理サーバは、
前記クライアント端末に銘柄コードと取引市場を特定した株価の気配データを送信する気配データ送信手段を備え、
前記クライアント端末は、
前記気配データを受信して、前記クライアント端末の表示画面の所定の表示位置に気配情報を表示する気配情報表示手段と、
前記気配データを前記気配情報上の表示位置の位置情報と関連付けて格納する表示データ格納手段と、
前記発注者が選択した前記気配情報の表示画面の所定の表示位置の位置情報を受け付ける位置情報受付手段と、
前記表示データ格納手段の前記位置情報に対応する気配データから、前記気配データの買い気配又は売り気配の別と、前記気配データに含まれる時価データを取得する時価データ取得手段と、
前記気配情報に対応する株価の銘柄コード及び取引市場を特定し、前記銘柄コード、前記取引市場が指定され、かつ前記時価データを指値の指定価格に指定した、前記気配データが買い気配である場合には買い注文画面を、前記気配データが売り気配である場合には売り注文画面を表示する注文画面表示手段と、
前記銘柄コード、前記取引市場及び前記時価データが執行条件の一部に少なくとも含まれる株式売買注文の注文データを前記発注サーバに送信する注文データ送信手段と、を備え、
前記発注サーバは、
前記注文データを受信して、前記注文データに従った前記株式売買注文の発注データを株式の取引市場の注文執行システムに送信する発注データ送信手段を備えること
を特徴とする株式売買注文発注システム。
【発明の詳細な説明】
【技術分野】
【０００１】
本発明は、クライアント端末に表示された株価チャート等の画面上の特定の位置を選択することにより、株式売買注文の執行条件の一部を特定して注文を発注することが可能なクライアント端末の表示画面選択による株式売買注文の発注方法及び株式売買注文発注システムに関するものである。
【背景技術】
【０００２】
株式の売買注文を発注したい投資家が、店頭や電話での注文依頼によらずにオンラインで注文できる方法として、通信ネットワークを介した注文システムが利用されている。かかる注文システムにおいては、注文者である投資家が株数や指値の価格などの注文条件を、端末より入力してホストに送信する（例えば、特許文献１参照。）。
【０００３】
近年は、インターネットを通じて注文依頼を受け付けるいわゆるオンライン証券会社が急増しており、特に個人投資家の株式取引におけるオンライン取引のシェアは５０％を超えるようになっているものと見られている。このような状況下で、投資家の多様なニーズに応えるために、株式の発注方法の多様化を可能にする技術や（例えば、特許文献２参照。）、株式売買の参考となる市況情報をリアルタイムで更新する技術（例えば、特許文献３参照。）によるサービスが提供されるようになっている。
【０００４】
上記のように、多様な取引方法への対応やリアルタイムでの情報提供は証券会社にとって重要な課題となっているが、いかに迅速に情報を得ることができて、様々な売買注文の発注が可能となっていたとしても、情報の取得から発注までの手順が複雑になると、売買注文の入力操作に時間を要して注文のタイミングを逃してしまうという事態も起こり得る。そのためには、市況情報の確認から売買注文のための入力までの操作をスムーズに行えることが好ましく、売買注文の入力画面に株価チャート等を表示する構成や（例えば、特許文献４参照。）、チャート画面から売買注文の入力画面への移行時に銘柄名や現在値を自動取得する技術（例えば、特許文献５参照。）が開示されている。
【発明の開示】
【発明が解決しようとする課題】
【０００５】
【特許文献１】特開昭６１−８６８６７号公報
【特許文献２】特開２００１−１５５０８６号公報
【特許文献３】特開２００２−２３０２９４号公報
【特許文献４】特開２００２−２６９３４９号公報  （図６（ｂ）及び段落番号００６０）
【特許文献５】特開２００２−３７３０４２号公報  （図１２及び段落番号００２９）
【０００６】
前記特許文献１記載の発明により、投資家はオンラインにより株式の売買注文を発注することが可能となっているが、注文に際しては投資家の操作する端末より、売買注文を発注する銘柄の証券コード、発注する市場、売買の別、指値と成行の別や指値の場合の株価、発注する株数などの注文の執行条件を入力しなければならない。
【０００７】
投資家が上記の執行条件を決めるためには、株価の推移や気配値などの市況情報を前記特許文献３記載の発明に示されているように、リアルタイムで効率的に取得することが望ましい。これらの情報は、一般に株価チャートや売買の板を表示した気配情報などにより表示され、投資家はこれらの表示を参照しながら注文の執行条件を検討する。
【０００８】
前記特許文献２記載の発明は、上記のように検討された執行条件について、さらに発注するための条件を付することにより、発注条件の柔軟な設定を可能とするものである。この発明により、投資家は発注条件のコントロールにより発注のタイミングにより生じるリスクを軽減することが可能になったが、この発明においても注文の執行条件や発注条件、特に指値等の条件となる株価は投資家が端末から入力しなければならない。
【０００９】
このように指値等の条件となる株価は、投資家が自ら端末から数値を入力しなければならないため、次のような問題が生じている。第一に、投資家は株価チャートや気配情報などの市況情報を参照しながら指値等の条件となる株価を決めることが多いが、株価チャート等の市況情報を表示する画面と注文条件を入力する画面は、通常は別のウィンドウ又は別のページとなっているために、市況情報を表示する画面から注文条件を入力する画面に切り換える手間が生じて操作が面倒である。第二に、前記の切り換えには若干の時間を要するとともに、注文条件の入力画面において投資家は指値等の株価の数値を入力するための時間が必要となり、この間に市場の状況が変化してしまうリスクが発生する。第三に、市況情報で表示されたデータに対して、注文条件で指定する指値等の株価はこれと連動することなく投資家が入力しなければならないため、特に発注を急ぐ場合には市況情報の読み間違いや注文条件の誤入力が生じてしまう恐れがあるという問題がある。
【００１０】
このような問題に対して、前記特許文献４記載の構成では、売買注文の入力画面に株価チャート等を表示することとしている。この方法によって、画面上でウィンドウやページを切り換える手間を軽減し、切り換えにかかる時間のロスを軽減することもできる。しかしながら、入力画面の一部に株価チャート等を表示する場合は、画面の大きさの制約から株価チャート等の表示に用いることができるスペースには限界があり、表示内容にはある程度制限を設けざるを得ないため、市況情報を十分に提供することができないという問題がある。また、注文条件の入力操作が必要なことに変わりはないため、誤入力の問題を解決することはできず、株価チャート等の表示スペースが制限されて表示される株価等の文字が小さくなると、むしろ誤入力を誘発してしまう恐れもある。
【００１１】
これに対して、前記特許文献５記載の方法は、チャート画面から売買注文の入力画面への移行時に銘柄名や現在値を自動取得することとしている。この発明では、株価チャート等の市況情報を表示する画面で売買注文の画面を選択すると、市況情報を表示した対象銘柄の銘柄名と現在値を取得し、売買注文画面に自動設定することとしている。この発明により、株価や銘柄名の誤入力のリスクを大幅に軽減することができるが、株価の現在値を取得することとしているため、現在値以外の価格を指定した売買注文に対応することができない。前記特許文献５記載の内容からは、この例が指値注文、成行注文のいずれを意味するのかが明らかでないが、株式の売買注文においては現在値にいくらかの値幅を設けた指値注文の数が多い現状を考えると、いずれにしても現在値しか指定できないとすると著しく利便性に欠けるものとなる。また、売買注文で指定する株価はチャート画面から売買注文の入力画面への移行時に自動取得することとされているため、指定する株価を変更したい場合には、自動入力された値を手動で変更するか、又はもう一度チャート画面に戻ってやり直すことが必要になるという問題も生じることとなる。
【００１２】
このように、市況情報の表示画面から売買注文の入力画面への切り換えにおいて生じる手間、タイムロスや誤入力についての課題を解消するにあたって、前記特許文献４記載の構成や前記特許文献５記載の方法は、その一部を解消することが可能であっても、いずれも不十分又は新たな課題を生じさせることとなってしまうものである。つまり、上記の課題を解消するとともに、市況情報の表示画面において十分な情報を提供し、売買注文の入力画面において指定される株価について自由に選択や変更ができる技術が提供されることが好ましい。
【００１３】
本発明は、このような課題に対応してなされたものであり、クライアント端末に表示された株価チャート等の画面上の特定の位置を選択することにより、株式売買注文の執行条件の一部を特定して注文を発注することが可能なクライアント端末の表示画面選択による株式売買注文の発注方法及び株式売買注文発注システムに関するものである。
【課題を解決するための手段】
【００１４】
上記の課題を解決する第１の発明は、株式売買注文を発注する発注者が操作するクライアント端末の表示画面を選択することにより執行条件を特定して株式売買注文の発注サーバに株式売買注文を発注する発注方法であって、株価の時価情報を管理する時価情報管理サーバが、前記クライアント端末に銘柄コードと取引市場を特定した株価の時価データを送信するステップと、前記クライアント端末が、前記時価データを受信して、前記クライアント端末の表示画面の所定の表示位置に株価チャートを表示するステップと、前記クライアント端末が、前記時価データを前記株価チャート上の表示位置の位置情報と関連付けて表示データ格納部に格納するステップと、前記クライアント端末が、前記発注者の操作により前記株価チャートの表示画面と関連付けられた注文ボタンの選択を受付けると、前記注文ボタンにより選択された売買の別を識別し、前記株価チャートに対応する株価の銘柄コード及び取引市場を特定して、前記銘柄コード及び前記取引市場が指定された注文画面を表示するステップと、前記クライアント端末が、前記発注者が選択した前記株価チャートの表示画面の所定の表示位置の位置情報を受け付けるステップと、前記クライアント端末が、前記表示データ格納部から前記位置情報に対応する時価データを取得するステップと、前記クライアント端末が、前記銘柄コード、前記取引市場及び前記時価データが執行条件の一部に少なくとも含まれる株式売買注文の注文データを前記発注サーバに送信するステップと、前記発注サーバが、前記注文データを受信して、前記注文データに従った前記株式売買注文の発注データを株式の取引市場の注文執行システムに送信するステップと、を有することを特徴とする株式売買注文の発注方法である。
【００１５】
第１の発明は、前記時価情報管理サーバが、前記クライアント端末に、前記銘柄コードと取引市場を特定した株価についての第二の時価データを送信するステップと、前記クライアント端末が、前記第二の時価データを受信して、前記表示データ格納部に格納された第一の時価データと対比するステップと、前記クライアント端末が、前記第一の時価データと前記第二の時価データが相違する場合には、前記表示データ格納部に格納された第一の時価データを前記第二の時価データに更新するステップと、を有することを特徴とすることもできる。
【００１６】
上記の課題を解決する第２の発明は、株式売買注文を発注する発注者が操作するクライアント端末の表示画面を選択することにより、執行条件を特定して株式売買注文の発注サーバに株式売買注文を発注する発注方法であって、株価の時価情報を管理する時価情報管理サーバが、前記クライアント端末に銘柄コードと取引市場を特定した株価の気配データを送信するステップと、前記クライアント端末が、前記気配データを受信して、前記クライアント端末の表示画面の所定の表示位置に気配情報を表示するステップと、前記クライアント端末が、前記気配データを前記気配情報上の表示位置の位置情報と関連付けて表示データ格納部に格納するステップと、前記クライアント端末が、前記発注者の操作により前記気配情報の表示画面と関連付けられた注文ボタンの選択を受付けると、前記注文ボタンにより選択された売買の別を識別し、前記気配情報に対応する株価の銘柄コード及び取引市場を特定して、前記銘柄コード及び前記取引市場が指定された注文画面を表示するステップと、前記クライアント端末が、前記発注者が選択した前記気配情報の表示画面の所定の表示位置の位置情報を受け付けるステップと、前記クライアント端末が、前記表示データ格納部から前記位置情報に対応する気配データに含まれる時価データを取得するステップと、前記クライアント端末が、前記銘柄コード、前記取引市場及び前記時価データが執行条件の一部に少なくとも含まれる株式売買注文の注文データを前記発注サーバに送信するステップと、前記発注サーバが、前記注文データを受信して、前記注文データに従った前記株式売買注文の発注データを株式の取引市場の注文執行システムに送信するステップと、を有することを特徴とする株式売買注文の発注方法である。
【００１７】
上記の課題を解決する第３の発明は、株式売買注文を発注する発注者が操作するクライアント端末の表示画面を選択することにより、執行条件を特定して株式売買注文の発注サーバに株式売買注文を発注する発注方法であって、株価の時価情報を管理する時価情報管理サーバが、前記クライアント端末に銘柄コードと取引市場を特定した株価の気配データを送信するステップと、前記クライアント端末が、前記気配データを受信して、前記クライアント端末の表示画面の所定の表示位置に気配情報を表示するステップと、前記クライアント端末が、前記気配データを前記気配情報上の表示位置の位置情報と関連付けて表示データ格納部に格納するステップと、前記クライアント端末が、前記発注者が選択した前記気配情報の表示画面の所定の表示位置の位置情報を受け付けるステップと、前記クライアント端末が、前記表示データ格納部の前記位置情報に対応する気配データから、前記気配データの買い気配又は売り気配の別と、前記気配データに含まれる時価データを取得するステップと、前記クライアント端末が、前記気配情報に対応する株価の銘柄コード及び取引市場を特定し、前記銘柄コード、前記取引市場が指定され、かつ前記時価データを指値の指定価格に指定した、前記気配データが買い気配である場合には買い注文画面を、前記気配データが売り気配である場合には売り注文画面を表示するステップと、前記クライアント端末が、前記銘柄コード、前記取引市場及び前記時価データが執行条件の一部に少なくとも含まれる株式売買注文の注文データを前記発注サーバに送信するステップと、前記発注サーバが、前記注文データを受信して、前記注文データに従った前記株式売買注文の発注データを株式の取引市場の注文執行システムに送信するステップと、を有することを特徴とする株式売買注文の発注方法である。
【００１８】
第２の発明及び第３の発明は、前記時価情報管理サーバが、前記クライアント端末に、前記銘柄コードと取引市場を特定した株価についての第二の気配データを送信するステップと、前記クライアント端末が、前記第二の気配データを受信して、前記表示データ格納部に格納された第一の気配データと対比するステップと、前記クライアント端末が、前記第一の気配データと前記第二の気配データが相違する場合には、前記表示データ格納部に格納された第一の気配データを前記第二の気配データに更新するステップと、を有することを特徴とすることもできる。
【００１９】
第１の発明乃至第３の発明において、クライアント端末には、パーソナルコンピュータ、携帯電話やＰＤＡなど通信ネットワークに接続してデータの送受信が可能な端末装置が用いられ、時価情報管理サーバ及び発注サーバには、クライアント端末と通信ネットワークを通じてデータの送受信が可能であり、市場の売買システムに接続されたオンライン証券会社等に設置されたコンピュータが用いられる。時価情報管理サーバ及び発注サーバとは、物理的に異なるコンピュータであってもよいし、同一のコンピュータに各々の機能が備えられるものであってもよい。また、時価情報管理サーバ及び発注サーバは、それぞれ一のコンピュータでその機能を果たすものであってもよいし、複数のコンピュータで必要な機能を果たすものであってもよい。
【００２０】
株価の時価データ及び気配データには、株価チャートや気配情報として表示が可能な時価データ及び気配データが用いられる。株価チャートは株価の変動を時系列で表示するものであれば形式はどのようなものであってもよく、気配情報には、売り注文、買い注文の気配値とそれぞれの注文株数である板を表示した標準的な表示形式のものが用いられる。
【００２１】
この発明により、クライアント端末から株式売買注文の発注を依頼する投資家は、指値等で株価を執行条件に指定した発注を行う場合に、株価チャートや気配情報の表示画面において株価が表示されている任意の位置を選択することにより、表示されている銘柄の銘柄コード及び取引市場に加えて、自動的に執行条件として指定する株価を特定することができる。つまり、投資家は発注時において、注文条件の入力画面において指値等の株価に関する執行条件を入力することが不要になり、市況情報の表示画面から売買注文の入力画面への切り換えにおいて生じる手間、タイムロスを軽減し、誤入力を防止することができる。
【００２２】
このうち、第１の発明においては、株価チャートの表示画面上の任意の位置を選択することにより、執行条件に指定する株価を特定することができる。第２の発明においては、気配情報の表示画面上の任意の株価に関する板の表示位置を選択することにより、執行条件に指定する株価を特定することができる。第３の発明においては、第２の発明の株価の特定に加えて、気配情報の表示画面上において選択された板が売り気配か買い気配かにより、入力する注文の売買の別を自動的に選択することができる。
【００２３】
また、第１の発明においては、時価情報管理サーバと随時交信してクライアント端末上の時価データを最新の値に更新することにより、最新の市況情報を確認しながら執行条件に指定する株価を選択することができる。第２の発明及び第３の発明についても同様に、時価情報管理サーバと随時交信してクライアント端末上の気配データを最新の値に更新することにより、最新の市況情報を確認しながら執行条件に指定する株価を選択することができる。
【００２４】
上記の第１の発明乃至第３の本発明にかかる株式売買注文の発注方法は、各々の発注方法を実施するための、株式売買注文を発注する発注者が操作するクライアント端末と株価の時価情報を管理する時価情報管理サーバ及び株式売買注文の発注サーバとからなる株式売買注文発注システムとして構成することもできる。
【００２５】
つまり、第１の発明を実施するための株式売買注文発注システムは、株式売買注文を発注する発注者が操作するクライアント端末と、株価の時価情報を管理する時価情報管理サーバ及び株式売買注文の発注サーバとからなる株式売買注文を発注する発注システムであって、前記時価情報管理サーバは、前記クライアント端末に銘柄コードと取引市場を特定した株価の時価データを送信する時価データ送信手段を備え、前記クライアント端末は、前記時価データを受信して、前記クライアント端末の表示画面の所定の表示位置に株価チャートを表示する株価チャート表示手段と、前記時価データを前記株価チャート上の表示位置の位置情報と関連付けて格納する表示データ格納手段と、前記発注者の操作により前記株価チャートの表示画面と関連付けられた注文ボタンの選択を受付けると、前記注文ボタンにより選択された売買の別を識別し、前記株価チャートに対応する株価の銘柄コード及び取引市場を特定して、前記銘柄コード及び前記取引市場が指定された注文画面を表示する注文画面表示手段と、前記発注者が選択した前記株価チャートの表示画面の所定の表示位置の位置情報を受け付ける位置情報受付手段と、前記表示データ格納手段から前記位置情報に対応する時価データを取得する時価データ取得手段と、前記銘柄コード、前記取引市場及び前記時価データが執行条件の一部に少なくとも含まれる株式売買注文の注文データを前記発注サーバに送信する注文データ送信手段と、を備え、前記発注サーバは、前記注文データを受信して、前記注文データに従った前記株式売買注文の発注データを株式の取引市場の注文執行システムに送信する発注データ送信手段を備えることを特徴とする株式売買注文発注システムである。
【００２６】
第２の発明を実施するための株式売買注文発注システムは、株式売買注文を発注する発注者が操作するクライアント端末と、株価の時価情報を管理する時価情報管理サーバ及び株式売買注文の発注サーバとからなる株式売買注文を発注する発注システムであって、前記時価情報管理サーバは、前記クライアント端末に銘柄コードと取引市場を特定した株価の気配データを送信する気配データ送信手段を備え、前記クライアント端末は、前記気配データを受信して、前記クライアント端末の表示画面の所定の表示位置に気配情報を表示する気配情報表示手段と、前記気配データを前記気配情報上の表示位置の位置情報と関連付けて格納する表示データ格納手段と、前記発注者の操作により前記気配情報の表示画面と関連付けられた注文ボタンの選択を受付けると、前記注文ボタンにより選択された売買の別を識別し、前記気配情報に対応する株価の銘柄コード及び取引市場を特定して、前記銘柄コード及び前記取引市場が指定された注文画面を表示する注文画面表示手段と、前記発注者が選択した前記気配情報の表示画面の所定の表示位置の位置情報を受け付ける位置情報受付手段と、前記表示データ格納手段から前記位置情報に対応する気配データに含まれる時価データを取得する時価データ取得手段と、前記銘柄コード、前記取引市場及び前記時価データが執行条件の一部に少なくとも含まれる株式売買注文の注文データを前記発注サーバに送信する注文データ送信手段と、を備え、前記発注サーバは、前記注文データを受信して、前記注文データに従った前記株式売買注文の発注データを株式の取引市場の注文執行システムに送信する発注データ送信手段を備えることを特徴とする株式売買注文発注システムである。
【００２７】
第３の発明を実施するための株式売買注文発注システムは、株式売買注文を発注する発注者が操作するクライアント端末と、株価の時価情報を管理する時価情報管理サーバ及び株式売買注文の発注サーバとからなる株式売買注文を発注する発注システムであって、前記時価情報管理サーバは、前記クライアント端末に銘柄コードと取引市場を特定した株価の気配データを送信する気配データ送信手段を備え、前記クライアント端末は、前記気配データを受信して、前記クライアント端末の表示画面の所定の表示位置に気配情報を表示する気配情報表示手段と、前記気配データを前記気配情報上の表示位置の位置情報と関連付けて格納する表示データ格納手段と、前記発注者が選択した前記気配情報の表示画面の所定の表示位置の位置情報を受け付ける位置情報受付手段と、前記表示データ格納手段の前記位置情報に対応する気配データから、前記気配データの買い気配又は売り気配の別と、前記気配データに含まれる時価データを取得する時価データ取得手段と、前記気配情報に対応する株価の銘柄コード及び取引市場を特定し、前記銘柄コード、前記取引市場が指定され、かつ前記時価データを指値の指定価格に指定した、前記気配データが買い気配である場合には買い注文画面を、前記気配データが売り気配である場合には売り注文画面を表示する注文画面表示手段と、前記銘柄コード、前記取引市場及び前記時価データが執行条件の一部に少なくとも含まれる株式売買注文の注文データを前記発注サーバに送信する注文データ送信手段と、を備え、前記発注サーバは、前記注文データを受信して、前記注文データに従った前記株式売買注文の発注データを株式の取引市場の注文執行システムに送信する発注データ送信手段を備えることを特徴とする株式売買注文発注システムである。
【発明の効果】
【００２８】
この発明により、投資家が端末よりネットワークを通じて株式売買注文を発注する場合に、注文条件の入力画面において指値等の株価に関する執行条件を入力することが不要になり、株価チャートや気配情報などの画面から市況情報の表示画面から売買注文の入力画面への切り換えにおいて生じる手間、タイムロスを軽減し、売買注文の入力画面での執行条件の誤入力を防止することができる。その結果、株式売買注文のオンライン発注の操作性を向上させるとともに、発注操作にかかる時間に生じる市場変動リスクを軽減することが可能になる。
【００２９】
上記の効果に加えて、本発明では市況情報の表示画面において株価チャート等を簡略化することなく十分な情報を提供し、売買注文の入力画面において指定される株価についても表示される範囲内の株価については自由に選択や変更が可能となるなど、従来の方法に比しても著しく利便性が改善される。
【発明を実施するための最良の形態】
【００３０】
本発明を実施するための最良の形態について、図面を用いて以下に詳細に説明する。尚、以下の実施例において表示される株価チャートや気配情報は本発明の一例であり、本発明は以下に説明する実施形態に限定されるものではない。
【００３１】
図１は、本発明にかかる株式売買注文の発注方法を実施するためのシステム構成を示すブロック図である。図２は、クライアント端末において表示される株価チャートの一例である。図３は、クライアント端末において表示される株価チャート上に定められた位置情報の一例である。図４は、株価チャート上の位置情報と株価を関連付けて格納したテーブルの一例である。図５は、本発明にかかる株式売買注文の発注方法により、株価チャートの一部を選択して作成された株式売買注文の注文データの一例である。図６は、クライアント端末において表示される気配情報の一例である。図７、図８は、クライアント端末において表示される気配情報上に定められた位置情報のそれぞれ第１、第２の例である。図９は、気配情報上の位置情報と株価を関連付けて格納したテーブルの一例である。図１０、図１１は、本発明にかかる株式売買注文の発注方法により、気配情報の一部を選択して作成された株式売買注文の発注データのそれぞれ第１、第２である。図１２は、クライアント端末において表示される株式の買い注文の入力画面の一例を示す図である。図１３は、クライアント端末において表示される株式の買い注文の入力画面において、株価チャート等の一部を選択して条件の一部が自動入力された入力画面の一例を示す図である。図１４は、本発明にかかる株式売買注文の発注方法により、株価チャート等の一部を選択して株価に関する条件が自動入力された入力画面の一例を示す図である。図１５は、本発明にかかる株式売買注文の発注方法により、株価チャート等の一部を選択して株価に関する条件が自動入力された入力画面の一例において、全ての執行条件が入力された状態を示す図である。図１６は、クライアント端末において表示される株式の買い注文の確認画面の一例を示す図である。図１７は、本発明にかかる株式売買注文の発注方法において、クライアント端末が時価情報管理サーバより時価データを取得するフローを示すフローチャートである。図１８は、本発明にかかる株式売買注文の発注方法において、クライアント端末が注文の執行条件を自動選択するフローを示すフローチャートである。図１９は、本発明にかかる株式売買注文の発注方法において、発注サーバが執行条件の確認を行うフローを示すフローチャートである。図２０は、本発明にかかる株式売買注文の発注方法において、クライアント端末が執行条件についての確認を受け付けるフローを示すフローチャートである。図２１は、本発明にかかる株式売買注文の発注方法において、発注サーバが発注指示を受け付けるフローを示すフローチャートである。
【００３２】
図１において、本発明にかかる株式売買注文の発注方法は、株式売買注文を発注する発注者が顧客端末１０において注文条件の入力操作を行い、証券会社システム２０へ発注指示を送信することにより行われる。証券会社システム２０には、情報系システムの一部として、最新の株価等の時価情報を管理する時価情報管理サーバ２１、株式の各々の銘柄についての呼値（売買注文において指定可能な株価の単位）や値幅制限（当日の売買において受付可能な上限価格と下限価格）等が記録された銘柄マスタ２２が含まれている。また、勘定系システムの一部として、注文の受付や発注機、顧客資産管理等のアプリケーションプログラムを実行するアプリケーションサーバ２３と、顧客の預かり資産を管理する顧客データベース２４、受け付けた注文の約定状況を管理する注文データベース２５が含まれている。顧客から受け付けた注文は、アプリケーションサーバ２３から市場システム３０に発注される。
【００３３】
顧客端末１０には、通常は顧客が操作するネットワークに接続可能なパーソナルコンピュータ等が用いられ、ＣＰＵ１１、ＲＡＭ１２、ＲＯＭ１３、ＨＤＤ１４、ＮＩＣ（ネットワークインターフェイスカード）１５、入力装置１６及び表示装置１７が含まれている。ＨＤＤ１４にはインターネットから情報を取得するウェブブラウザを起動するプログラムが格納されていて、ＲＯＭ１３に記憶された入力制御や出力制御などのハードウェア制御のための基本的な各種プログラムを起動し、ＲＡＭ１２をウェブブラウザや証券会社システム２０からインターネット経由・ＮＩＣ１５で取得したデータのワークエリアとして機能させながら、ＣＰＵ１１が演算処理を実行する。顧客は表示装置１７に表示される株価情報等を見ながら、入力装置１６より注文条件を入力して売買注文の発注操作を行う。入力された売買注文に関するデータは、ＮＩＣ１５よりインターネット経由で証券会社システム２０に送信される。
【００３４】
顧客が顧客端末１０から証券会社システム２０に株式の売買注文を発注する場合、ＨＤＤ１４よりウェブブラウザを読み出して起動し、証券会社のＵＲＬを指定してＮＩＣ１５からインターネット経由で証券会社システム２０にアクセスする。顧客が証券会社の口座番号とパスワードを入力すると、これらのデータが証券会社システム２０に送信されて、アプリケーションサーバ２３で受け付けられる。
【００３５】
アプリケーションサーバ２３では、当該顧客の口座番号とパスワードを顧客データベース２４で照合し、正当な権限のあるアクセスである場合には当該顧客の資産残高等のデータを顧客データベース２４から読み出して、アプリケーションサーバ２３で顧客専用のトップページを作成して顧客端末１０に送信する。これにより、当該顧客のログインが完了し、売買注文の発注やリアルタイムの時価情報の取得が可能になる。
【００３６】
時価情報の取得は、次のようなフローで行われる。時価情報管理サーバ２１は、株価の時価データや売買の気配についての気配データ等の最新データを証券取引所や情報提供事業者の商用データベースから取得し、顧客端末１０において表示する表示データとしてインターネットを通じて配信する。表示データには、チャートや気配情報を描画することが可能なデータを含むことができる。尚、時価情報管理サーバ２１は、外部の商用データベースから取得した最新の時価データ等を中継するものであってもよいし、取得した時価データを時価情報管理サーバ２１に格納して管理するものであってもよい。
【００３７】
併せて、銘柄マスタ２２には株式の各々の銘柄の呼値や値幅制限等の売買に関連する基礎情報について、同じく最新データを証券取引所や情報提供事業者の商用データベースから取得する。銘柄マスタに格納するデータは、通常は営業日単位で更新される。銘柄マスタ２２に格納された各々の銘柄の基礎情報は、株価の時価データとともに時価情報管理サーバ２１より顧客端末１０に送信される。時価データの送信は、顧客端末１０からの要求に応じてプル型で取得されるものであってもよいし、証券会社システム２０側から所定の間隔をおいてプッシュ型で配信するものであってもよい。
【００３８】
時価情報管理サーバ２１より送信された時価情報の表示データは、顧客端末１０において受け付けられ、ＲＡＭ１２をワーキングエリアとしてＣＰＵ１１において顧客端末１０に表示するための表示データを作成する演算処理が行われる。ここで、表示データにチャートや気配情報が含まれる場合には、チャートや気配情報の表示位置を定めて描画が行われる。作成された表示データは、株価チャート等の所定の表示形式で、顧客端末１０を操作するためのディスプレイである表示装置１７に表示される。
【００３９】
このように表示装置１７に表示された表示データは、ＲＡＭ１２に格納された状態で保持されて、時価情報管理サーバ２１より最新の時価データが送信されるとデータの更新が行われる。つまり、ＲＡＭ１２には表示装置１７における所定の表示位置と株価等の時価データが関連付けられて保持されており、最新の時価データを受け付けるとＲＡＭ１２において対応するデータを更新する。例えば、株価の現在値であれば、現在値を表示する表示する位置を特定したセルを設け、最新の時価データを取得するとこのセルに挿入する時価データを更新する。このように、株価の時価データやチャート等を表示するためのデータはＲＡＭ１２に格納された状態で随時最新値に更新され、併せて銘柄マスタ２２より取得した当該株価に対応する銘柄の呼値や値幅制限などの情報も保持されている。
【００４０】
表示装置１７に描画された株価チャート等を見た顧客は、株価動向を見ながら売買注文を発注したいと考えると、表示装置１７の表示画面上で、例えば株価チャート上で発注したい株価の位置にポインタを移動させて、マウスのクリック等を行って発注指示を選択する。かかるマウス等を入力装置１６として用いた入力操作により、選択したウィンドウと画面上の位置情報が指定され、売買注文において執行条件に指定される株価が特定される。株価チャート等の画面には表示されない注文株数等のデータは、顧客が注文入力画面からキーボード等を入力装置１６に用いて入力する。
【００４１】
株式の売買注文においては、少なくとも売買する株式の銘柄コード、取引市場、成行と指値の別、指値の場合の指定価格、注文する株数、注文期限を顧客が指定することが必要であるが、上記の入力操作では、株価チャートの所定の位置を選択することにより、銘柄コード、取引市場、成行と指値の別、指値の場合の指定価格については、当該入力操作により特定することができる。これらを証券会社システム２０に送信する発注依頼データの一部として用いることにより、発注者は注文入力画面においてキーボートを用いて銘柄を特定する証券コードや指値等の株価を入力する手間を軽減することができる。注文株数や注文期限については、キーボードから入力した値が用いられる。
【００４２】
このように特定された注文発注に必要なデータは、ＲＡＭ１２をワーキングエリアとしてＣＰＵ１１で演算処理を行われ、証券会社システム２０に送信するための注文データが作成される。注文データの作成においては、ＲＡＭ１２に保持されている株価を表示した銘柄にかかる呼値や値幅制限等の基本情報を参照して、入力された注文が受付可能か否かを確認する。値幅制限オーバー等で受付ができない場合は、証券会社システム２０に注文データを送信することなく表示装置１７にエラー画面が表示される。注文内容が受付可能なものである場合は、ＮＩＣ１５からインターネット経由で注文データが証券会社システム２０に送信される。注文データを受け付けた証券会社システム２０では、アプリケーションサーバ２３において注文データの受付処理を行う。
【００４３】
アプリケーションサーバ２３においては、まず注文を受け付けた顧客の顧客データベース２４を参照して、買い注文であれば当該注文の約定予定金額が当該顧客について設定された与信範囲内か否か、売り注文であれば注文株数が当該顧客の保有株数の範囲内であるか等のチェックが行われる。これらのチェックで受付不可能と判定された場合には、顧客端末１０にエラー表示の指示が送信される。受付可能と判定された場合には、注文データを市場システム３０の指定する注文伝票のデータ形式に整えて、市場システム３０に発注データとして送信する。送信した注文伝票形式の発注データは、注文明細として注文データベース２５にも保存される。
【００４４】
これまで説明した本発明にかかる株式売買注文の発注方法の一連のフローについて、株価チャートを描画する場合の例について、図２〜図５を用いて説明する。
【００４５】
図２は、表示装置１７に表示される株価チャートの一例である。株価チャートは、横軸は日付や時間を、縦軸は株価を基準として、株価の推移をグラフで表現する。株価の推移を示すグラフと合わせて、一定期間の株価の平均値の推移を表す移動平均線を表示する場合もある。図２においては、白黒の四角と直線により示されたものが株価の推移で、連続する曲線で示されているものが移動平均線である。
【００４６】
図３は、図２の株価チャート上に定められた位置情報の一例を、拡大図で示したものである。株価はグラフ上の縦軸で示されるので、グラフの左下を基点とした座標軸で考えると、チャート上の前日の終値であるＢに示した４９７円の位置は（ｘ０，ｙ３７）（ｘ１，ｙ３８）の範囲に存在することになる。
【００４７】
図４は、株価チャート上の位置情報と株価を関連付けて格納したテーブルの一例である。このようなテーブルは、顧客端末１０の表示装置１７にチャート表示が行われている間はＲＡＭ１２に格納されており、座標軸の位置を示すデータが固定されているのに対して（但し、株価チャートの表示位置が移動した場合には座標軸の位置も移動する）、関連付けられる株価の時価データは、証券会社システム２０から新たなデータを受け取る毎に更新される。このテーブルで管理されるデータは株価の時価データに限られず、株価チャートを表示している範囲全体と関連付けて、銘柄の銘柄コード、取引市場も特定するよう構成することが好ましい。
【００４８】
前日の終値を指値として買い注文を発注したいと思う場合、顧客はディスプレイ上に図３に示したチャートを表示してＢに示した領域にポインタを移動させ、マウスのクリック等により当該領域を選択する。選択された領域（ｘ０，ｙ３７）（ｘ１，ｙ３８）について図４に示したテーブルを参照し、当該領域にかかるレコードから４９７円の値を取得して、注文データにおける指値の株価として使用する。このように設定することで、注文者は別途注文入力画面から指値の株価を入力することが不要になり、迅速な注文が可能になる。
【００４９】
図２の株価チャートには、株価が表示されている銘柄（１１１１○○株式会社）と市場（東証１部）が表示されている。つまり、当該ウィンドウから銘柄と市場を示すデータを特定することができるため、上記のように当該ウィンドウの表示位置と証券コードや市場コードを関連付けて格納しておくと、上記のようにチャート上のある領域が選択された場合に、選択されたウィンドウを識別することにより、顧客が売買を行いたい銘柄と市場を特定することもできる。
【００５０】
図５は、上記のように株価チャートの一部を選択して作成された株式売買注文の注文データの一例である。株式売買注文を発注する際には、少なくとも売買する株式の銘柄コード、取引市場、成行と指値の別、指値の場合の指定価格、注文する株数、注文期限の各項目を指定することが必要であり、これらの内容を含む発注データが証券会社システム２０のアプリケーションサーバ２３において作成され、証券取引所等の市場システム３０に送信される。これらの項目は、顧客が入力装置１６からそれぞれ入力して指定するのが通常であるが、本発明によると図５に示した通り、市場、銘柄コード、指値の株価（指値の株価を指定することにより、成行と指値の別で指値を選択したことも）が、それぞれ入力操作を伴うことなく自動的に特定される。
【００５１】
続いて、本発明にかかる株式売買注文の発注方法の一連のフローについて、気配情報を描画する場合の例について、注文入力画面の推移と合わせて図６〜図１４を用いて説明する。
【００５２】
図６は、表示装置１７に表示される気配情報の一般的な表示画面の一例である。気配情報は、中央の縦列に株価を表示し、それぞれの株価を指値とする売り板（売り注文の件数と株数）と買い板（買い注文の件数と株数）を対照させて表示する。図６の例であれば、５０１円の売り注文が７件で計１５千株、５００円の買い注文が１２件で３０千株あることがわかるため、投資家はこの気配情報において板の枚数を見ながら売り圧力等を推測して、注文を出す株価を判断する。
【００５３】
図７は、図６の気配情報上に定められた位置情報の第１の例を示したものである。株価はグラフ上の縦軸で示されるので、グラフの左下を基点とした座標軸で考えると、５０１円の売り板の位置は（ｘ０，ｙ５）（ｘ１，ｙ６）の範囲に、５００円の買い板の位置は（ｘ１，ｙ４）（ｘ２，ｙ５）の範囲に存在することになる。このように位置情報を指定すると、画面上の選択された位置によって、売り買いの別と株価を特定することができる。
【００５４】
図８は、図６の気配情報上に定められた位置情報の第２の例を示したものである。株価はグラフ上の縦軸で示されるので、グラフの左下を基点とした座標軸で考えると、５０１円は（ｘ０，ｙ５）（ｘ２，ｙ６）の範囲に、５００円は（ｘ０，ｙ４）（ｘ２，ｙ５）の範囲に存在することとなる。売り板と買い板の位置を区別して、各々の位置情報について、売り板を（ｘ０，ｙ０）（ｘ１，ｙ１０）買い板を（ｘ１，ｙ０）（ｘ２，ｙ１０）と指定する。このように位置情報を指定すると、（ｘ０，ｙ０）（ｘ１，ｙ１０）と（ｘ１，ｙ０）（ｘ２，ｙ１０）のいずれの範囲を指定されたかにより売り買いの別を特定し、（ｘ０，ｙ０）（ｘ２，ｙ１）・・・（ｘ０，ｙ９）（ｘ２，ｙ１０）のいずれの範囲を指定されたかにより株価を特定することができる。
【００５５】
図９は、気配情報上の位置情報と株価を関連付けて格納したテーブルの第１の例である。このようなテーブルは、顧客端末１０の表示装置１７にチャート表示が行われている間はＲＡＭ１２に格納されており、座標軸の位置を示すデータが固定されているのに対して（但し、気配情報の表示位置が移動した場合には座標軸の位置も移動する）、関連付けられる株価の気配データは、証券会社システム２０から新たなデータを受け取る毎に更新される。このテーブルで管理されるデータは株価の気配データに限られず、気配情報を表示している範囲全体と関連付けて、銘柄の銘柄コード、取引市場も特定するよう構成することが好ましい。
【００５６】
図９のテーブルでは、気配情報上に定められた位置情報を図７に示した例のように設定したケースに対応し、気配情報の画面上のそれぞれの領域について設けられたレコードに、該当する株価と売り買いの別が指定されている。従って、ある売り板の位置にポインタを移動させて選択操作を行なうと当該売り板に対応する株価の売り注文、ある買い板の位置にポインタを移動させて選択操作を行なうと当該買い板に対応する株価の買い注文と特定することができる。
【００５７】
図１０は、気配情報上の位置情報と株価を関連付けて格納したテーブルの第２の例である。この場合も、当該データがチャート表示の間はＲＡＭ１２に格納され、株価の気配データが証券会社システム２０から新たなデータを受け取る毎に更新されることは、図９の場合と同様である。また、気配情報を表示している範囲全体と関連付けて、銘柄の銘柄コード、取引市場も特定するよう構成することが好ましいことも、図９の場合と同様である。
【００５８】
図１０のテーブルでは、気配情報上に定められた位置情報を図８に示した例のように設定したケースに対応し、気配情報の画面上のそれぞれの領域について設けられたレコードに、該当する株価が指定されている。また、売り注文か買い注文かの別についても、それぞれ売り板の表示領域、買い板の表示領域に対応して指定されているため、選択された領域によって売り注文か買い注文かの別を特定することもできる。従って、ある売り板の位置にポインタを移動させて選択操作を行なうと当該売り板に対応する株価の売り注文、ある買い板の位置にポインタを移動させて選択操作を行なうと当該買い板に対応する株価の買い注文と特定することができる。
【００５９】
図６の気配情報には、株価が表示されている銘柄（銘柄コード１１１１の○○株式会社）と市場（東証１部）が表示されている。つまり、当該ウィンドウの領域全体が当該銘柄と当該市場を示すものと特定することができるため、図９及び図１０のテーブルのように当該ウィンドウの表示領域全体と証券コードや市場コードを関連付けて格納しておくことにより、気配情報上のある領域が選択された場合に、選択されたウィンドウを識別して、顧客が売買を行いたい銘柄と市場を特定することもできる。
【００６０】
図１１は、上記のように気配情報の一部を選択して作成された株式売買注文の発注データの一例である。株式売買注文を発注する際には、少なくとも売買する株式の銘柄コード、取引市場、成行と指値の別、指値の場合の指定価格、注文する株数、注文期限の各項目を指定することが必要であり、これらの内容を含む発注データが証券会社システム２０のアプリケーションサーバ２３において作成され、証券取引所等の市場システム３０に送信される。これらの項目は、顧客が入力装置１６からそれぞれ入力して指定するのが通常であるが、本発明によると図１１に示した通り、市場、銘柄コード、指値の株価（指値の株価を指定することにより、成行と指値の別で指値を選択したことも）が、それぞれ入力操作を伴うことなく自動的に特定される。表示位置と入力データの関連付けの方法によっては、売り買いの別を特定することもできる。併せて、当該気配情報の表示範囲全体の銘柄コードと取引市場が指定されており、これらについても特定することができる。
【００６１】
図１１の例の注文を発注するために、顧客は図６に示した気配情報の表示画面において、５００円の買い板の３０千株という数量を示す部分にポインタを移動させて選択操作を行なったものとする。この場合、気配情報上に定められた位置情報と入力データの関連付けによって、以下の３通りの方法によって入力データを特定することができる。
【００６２】
まず、図７及び図９の例のように位置情報と入力データの関連付けが行われていた場合には、５００円の買い板の３０千株という数量を示す部分が選択されると、（ｘ１，ｙ４）（ｘ２，ｙ５）の領域が指定されたことになるので、「５００円の買い注文」と特定することができる。併せて、（ｘ０，ｙ０）（ｘ２，ｙ１０）の領域に含まれる部分が選択されているため、「銘柄コード；１１１１」「取引市場；東証１部」と特定することができる。
【００６３】
次に、図８及び図１０の例のように位置情報と入力データの関連付けが行われていた場合には、５００円の買い板の３０千株という数量を示す部分が選択されると、（ｘ０，ｙ４）（ｘ２，ｙ５）の領域が指定されたことになるので「５００円」という株価が、また（ｘ１，ｙ０）（ｘ２，ｙ１０）の領域が指定されたことになるので「買い注文」と特定することができる。併せて、（ｘ０，ｙ０）（ｘ２，ｙ１０）から「銘柄コード；１１１１」「取引市場；東証１部」と特定されることは、上記と同様である。
【００６４】
後者の図８及び図１０の例については、売り買いの別については自動的に特定することとせずに、顧客が図６の表示画面の右上に示したようなボタンを選択することにより、特定することとしてもよい。この場合は、図１１の発注データの例であれば、市場、銘柄コード、指値の株価（指値の株価を指定することにより、成行と指値の別で指値を選択したことも）が自動的に特定され、売り買いの別については顧客の選択により指定されることとなる。
【００６５】
図１２は、顧客端末１０の表示装置１７において表示される株式の買い注文の入力画面の一例である。以下、図１２から図１５を用いて、図３に示した株価チャートの表示画面で４９７円の領域を選択し、図５の注文データを作成して買い注文を発注する例の注文入力画面の推移について説明する。
【００６６】
注文データの作成に必要な項目のうち、売り注文か買い注文かの別については、注文入力画面の前段階で「株式売り注文」又は「株式買い注文」を選択して、図１２の売り買いの別が指定された画面に進むことが一般的である。尚、気配情報から注文を行う場合であれば、図７乃至図１０の例で説明したように位置情報と入力データの関連付けが行われていれば、気配情報の表示画面において選択した板から売り注文か買い注文かを特定し、当該注文の種別に対応する注文画面を自動的に表示することもできる。
【００６７】
表示された気配情報は、銘柄コードと取引市場が特定されたものであるので、気配情報の表示に用いられたデータからこれらの情報を取得すれば、「株式売り注文」又は「株式買い注文」が選択されたことによって、注文条件の一部が予め自動入力された入力画面を表示することができる。図１３の株式の買い注文の入力画面はその一例で、買い注文の入力画面を表示する時点において、銘柄コードと取引市場が表示されている。
【００６８】
次に、株価チャートの表示画面上において株価の推移を検討し、買い注文の指値として指定したい価格の部分にポインタを移動して選択操作を行う。選択されたチャート上の位置は、図４に示したテーブルのように特定の株価と関連付けが行われているため、注文データとしてかかる表示位置から特定できる株価を用いることができる。また、株価を指定したことにより、成行注文ではなく指値注文であることが確定するため、指値注文の選択も併せて行なうことができる。指値注文とその指定価格が特定されると、図１４の例に示したように注文入力画面の一部が自動的に入力又は選択される。株式の売買注文の発注時には、株価チャートと移動平均線や一目均衡表などを参考にして注文時に指定する目標株価を設定することが多いので、指値として指定する株価はチャート上で視覚的に捉えることができる場合が多いため、顧客はチャート分析から入力操作を伴わずにそのまま指値の株価を指定することができる。
【００６９】
このように注文の執行条件の一部が注文入力画面に自動入力されると、残りの項目である注文数量、注文期限、受渡方法の各々について、顧客が注文入力画面より入力又は選択を行なって、注文内容を確定させる。図１５は注文入力画面において全ての入力が終わった場合の例を示しているが、ここで注文確認のボタンを選択すると、指定された執行条件を銘柄マスタから取得してクライアント端末において保持されている呼値や値幅制限等の制限事項をチェックして、これらの制限事項に該当して注文が受付けられない場合にはエラー表示を行う。
【００７０】
一方、制限事項に該当しない場合には、確定されたデータは図５の例のようなデータ形式で証券会社の発注用サーバに送信される。発注用サーバでは、注文が約定した場合の代金と注文を行う顧客の与信限度額を対比して受け付けの可否を判定し（売り注文の場合には注文数量分の売却可能な預かり資産があるかを判定）、受け付けが不可と判定された場合には、エラー表示の指示をクライアント端末に送信する。受け付けが可能と判定された場合には、クライアント端末には図１６の例のような確認画面が表示される。図１６において確認ボタンが選択されると、確認ボタンを選択したことを示すデータが発注用サーバに送信されて、受け付けた注文データを注文伝票の形式で確定させて、注文データベースに格納するとともに市場システムに発注される。
【００７１】
続いて、図１７乃至図２１のフローチャートを用いて、クライアント端末が時価情報管理サーバより時価データを取得してから、発注サーバがクライアント端末から発注指示を受け付けるまでのフローについて説明する。
【００７２】
図１７のフローチャートは、本発明にかかる株式売買注文の発注方法において、クライアント端末が時価情報管理サーバより時価データを取得するフローを示している。クライアント端末において、顧客が銘柄コードと市場を選択すると（Ｓ０１）、クライアント端末は銘柄コードと市場を指定して、証券会社のホストコンピュータに株価の時価データの送信依頼を送信する（Ｓ０２）。
【００７３】
クライアント端末がホストコンピュータから株価の時価データを受け付けると（Ｓ０３）、株価チャート等を描画して表示する際のディスプレイ上の表示位置と関連付けて、時価データをクライアント端末のメモリ上に格納する（Ｓ０４）。このときに、当該銘柄に関する呼値や値幅制限などのマスタ情報も併せて取得し、メモリ上に格納される。時価データを反映した株価チャートは、ディスプレイの所定の位置に表示される（Ｓ０５）。尚、メモリに格納された時価データは、ホストコンピュータより更新用の最新データを受け付けると、随時ディスプレイの株価チャートにも最新値として反映される。
【００７４】
図１８のフローチャートは、本発明にかかる株式売買注文の発注方法において、クライアント端末が注文の執行条件を自動選択するフローを示している。顧客がディスプレイに表示された株価チャートをチェックして、表示されている銘柄についての買い注文を発注したいと考えると、株価チャートを表示したウィンドウに表示された買い注文のボタンを選択して、クリックする（Ｓ０６）。クライアント端末が当該選択を受け付けると、買い注文を入力するための表示画面のデータをホストコンピュータから取得し（Ｓ０７）、株価チャートを表示している対象銘柄の銘柄コードと取引市場をメモリから取得して、これらのデータが表示画面のデータにおいて各々を表示すべきフィールドに書き出される（Ｓ０８）。このように銘柄コードと取引市場が指定された買い注文の注文入力画面の表示データが作成されて、ディスプレイに表示される（Ｓ０９）。
【００７５】
この時点において、買い注文の注文入力画面と株価チャートは別ウィンドウで表示されるが、続いて、株価チャートを表示するウィンドウ上で執行条件指定のためのクリックが行われたか否かを判定する（Ｓ１０）。チャート画面が選択されない場合には、注文入力画面において顧客の入力操作で指値が指定されたか否かを判定し（Ｓ１５）、指値が選択されない場合（成行が選択される場合）には、執行条件を特定するフィールドには成行を選択したことが記録される（Ｓ１９）。指値が選択された場合には、執行条件を特定するフィールドには指値を選択したことが記録され（Ｓ１６）、続いて指値の指定価格の入力を受け付けると（Ｓ１７）、受け付けた指定価格は執行条件を特定するフィールドに書き出される（Ｓ１８）。
【００７６】
一方、株価チャートを表示するウィンドウ上で執行条件指定のためのクリックが行われた場合には、クリックされたディスプレイ上の表示位置を特定するともに（Ｓ１１）、執行条件を特定するフィールドには指値を選択したことが記録される（Ｓ１２）。次に、メモリ上の随時更新されているディスプレイ上の表示位置と時価データを参照して、特定された表示位置に対応する株価を取得する（Ｓ１３）。ここで取得した株価が指値における指定価格として用いられるため、取得した株価は執行条件を特定するフィールドに書き出される（Ｓ１４）。
【００７７】
このようにして、注文入力画面において指値と成行の別、指値の場合の指定価格が特定されると、続いて注文数量と注文期限をクライアント端末における顧客の入力操作により受け付ける（Ｓ２０）。受け付けた注文数量と注文期限は、それぞれの項目を特定するためのフィールドに書き出される（Ｓ２１）。尚、ここで説明した注文数量や注文期限の他にも注文の受け付けに必要な項目がある場合には、同様の操作を行うこととしてもよい。ここまでの操作で株式の買い注文の受け付けに必要な銘柄コード、取引市場、成行と指値の別、指値の場合の指定価格、注文株数、注文期限の各項目を指定するデータが特定されると、これらのデータから注文の発注に必要な項目を含んだ注文データを作成する（Ｓ２２）。
【００７８】
続いて、ディスプレイ上の「次へ進む」ことを示すボタンが顧客の操作により選択されたことを受け付けると（Ｓ２３）、銘柄コード、取引市場、指値の場合の指定価格について、株価チャートを描画するための時価データとともに受信してメモリ上に格納されたマスタ情報と対比して（Ｓ２４）、値幅制限等の注文制限に違反しないかのチェックを行う（Ｓ２５）。注文制限に違反する場合には、ディスプレイにエラー表示を行って（Ｓ２７）、処理を終了する。注文制限に違反しない場合は、銘柄コード、取引市場、成行と指値の別、指値の場合の指定価格、注文株数、注文期限の各項目を含んだ注文データをホストコンピュータに送信する（Ｓ２６）。
【００７９】
図１９のフローチャートは、本発明にかかる株式売買注文の発注方法において、発注サーバが執行条件の確認を行うフローを示している。発注サーバを含むホストコンピュータがクライアント端末より注文データを受け付けると（Ｓ２８）、指値の指定価格と注文株数から約定予定価格を算出し、当該約定予定価格と顧客データベースのマスタ情報に格納されている当該顧客の買付余力と対比する（Ｓ２９）。買付余力の決定については、預かり資産全体をベースにする、預かり金をベースにする、これらの一定の掛け目を設けるなど、どのように算出されるものであってもよい。買付余力との対比から買付制限を超える注文でないかを判定し（Ｓ３０）、制限を超えると判定される場合には、エラー画面の表示指示をクライアント端末に送信する（Ｓ３２）。制限を超えないと判定される場合には、確認画面を表示するためのデータをクライアント端末に送信する（Ｓ３１）。
【００８０】
図２０のフローチャートは、本発明にかかる株式売買注文の発注方法において、クライアント端末が執行条件についての確認を受け付けるフローを示している。ホストコンピュータより確認画面の表示データを受け付けると（Ｓ３３）、ディスプレイに銘柄コード、取引市場、成行と指値の別、指値の場合の指定価格、注文株数、注文期限の各項目を含む確認画面を表示する（Ｓ３４）。確認画面には、顧客が当該注文条件を承諾したことを示す確認ボタンを表示し、当該確認ボタンの選択操作を受け付けた場合には（Ｓ３５）、ホストコンピュータに発注指示が送信される（Ｓ３６）。発注指示が送信できた場合には（Ｓ３７）、ディスプレイに発注の受け付けが完了したことを示す画面が表示される（Ｓ３８）。発注指示が送信できなかった場合には（Ｓ３７）、ディスプレイにエラー画面が表示されて（Ｓ３９）、処理を終了する。
【００８１】
図２１のフローチャートは、本発明にかかる株式売買注文の発注方法において、発注サーバが発注指示を受け付けるフローを示している。発注サーバを含むホストコンピュータがクライアント端末より発注指示を受け付けると（Ｓ４０）、発注指示に対応する注文データを特定し（Ｓ４１）、注文データの執行条件に発注についての条件が付されているか否かを確認する（Ｓ４２）。条件が付されている場合には、注文データベースに当該注文データの内容を格納し（Ｓ４３）、指定された株価等の発注条件の監視を開始する（Ｓ４４）。
【００８２】
一方、条件が付されていない場合には、注文データを証券取引所等が運営する市場システムにおいて指定された注文伝票の形式で市場システムに送信し（Ｓ４５）、発注した注文データの内容を注文データベースに格納する（Ｓ４６）。注文データの送信完了を確認すると、顧客の要求がある場合には、クライアント端末に発注完了通知を送信して（Ｓ４７）、発注処理を完了する。
【図面の簡単な説明】
【００８３】
【図１】本発明にかかる株式売買注文の発注方法を実施するためのシステム構成を示すブロック図である。
【図２】クライアント端末において表示される株価チャートの一例である。
【図３】クライアント端末において表示される株価チャート上に定められた位置情報の一例である。
【図４】株価チャート上の位置情報と株価を関連付けて格納したテーブルの一例である。
【図５】本発明にかかる株式売買注文の発注方法により、株価チャートの一部を選択して作成された株式売買注文の注文データの一例である。
【図６】クライアント端末において表示される気配情報の一例である。
【図７】クライアント端末において表示される気配情報上に定められた位置情報の第１の例である。
【図８】クライアント端末において表示される気配情報上に定められた位置情報の第２の例である。
【図９】気配情報上の位置情報と株価を関連付けて格納したテーブルの一例である。
【図１０】本発明にかかる株式売買注文の発注方法により、気配情報の一部を選択して作成された株式売買注文の発注データの第１の例である。
【図１１】本発明にかかる株式売買注文の発注方法により、気配情報の一部を選択して作成された株式売買注文の発注データの第２の例である。
【図１２】クライアント端末において表示される株式の買い注文の入力画面の一例を示す図である。
【図１３】クライアント端末において表示される株式の買い注文の入力画面において、株価チャート等の一部を選択して条件の一部が自動入力された入力画面の一例を示す図である。
【図１４】本発明にかかる株式売買注文の発注方法により、株価チャート等の一部を選択して株価に関する条件が自動入力された入力画面の一例を示す図である。
【図１５】本発明にかかる株式売買注文の発注方法により、株価チャート等の一部を選択して株価に関する条件が自動入力された入力画面の一例において、全ての執行条件が入力された状態を示す図である。
【図１６】クライアント端末において表示される株式の買い注文の確認画面の一例を示す図である。
【図１７】本発明にかかる株式売買注文の発注方法において、クライアント端末が時価情報管理サーバより時価データを取得するフローを示すフローチャートである。
【図１８】本発明にかかる株式売買注文の発注方法において、クライアント端末が注文の執行条件を自動選択するフローを示すフローチャートである。
【図１９】本発明にかかる株式売買注文の発注方法において、発注サーバが執行条件の確認を行うフローを示すフローチャートである。
【図２０】本発明にかかる株式売買注文の発注方法において、クライアント端末が執行条件についての確認を受け付けるフローを示すフローチャートである。
【図２１】本発明にかかる株式売買注文の発注方法において、発注サーバが発注指示を受け付けるフローを示すフローチャートである。
【符号の説明】
【００８４】
１０    顧客端末
１１    ＣＰＵ
１２    ＲＡＭ
１３    ＲＯＭ
１４    ＨＤＤ
１５    ＮＩＣ
１６    入力装置
１７    表示装置
２０    証券会社システム
２１    時価情報管理サーバ
２２    銘柄マスタ
２３    アプリケーションサーバ
２４    顧客データベース
２５    注文データベース
３０    市場システム
【図１】
2005063409.tif 000003
【図２】
2005063409.tif 000004
【図３】
2005063409.tif 000005
【図４】
2005063409.tif 000006
【図５】
2005063409.tif 000007
【図６】
2005063409.tif 000008
【図７】
2005063409.tif 000009
【図８】
2005063409.tif 000010
【図９】
2005063409.tif 000011
【図１０】
2005063409.tif 000012
【図１１】
2005063409.tif 000013
【図１２】
2005063409.tif 000014
【図１３】
2005063409.tif 000015
【図１４】
2005063409.tif 000016
【図１５】
2005063409.tif 000017
【図１６】
2005063409.tif 000018
【図１７】
2005063409.tif 000019
【図１９】
2005063409.tif 000020
【図２０】
2005063409.tif 000021
【図２１】
2005063409.tif 000022
【図１８】
2005063409.tif 000023